(57)【要約】【課題】部品点数を増やさずに、撮像ユニットを回動可能とする撮影機能付き携帯電話機を提供する。【解決手段】撮像素子を備えた撮像ユニット７と、アンテナ６を収縮時に収納可能となりアンテナ６と同心軸で略円柱状に突出してなるアンテナ筐体５と、を備えてなる撮影機能付き携帯電話機において、撮像ユニット７を同心軸を中心に回動可能となるようにアンテナ筐体５に配設する。【選択図】図１
2004254129.tif 000002
【特許請求の範囲】
【請求項１】
撮像素子を備えた撮像ユニットと、アンテナを収縮時に収納可能となり該アンテナと同心軸で略円柱状に突出してなるアンテナ筐体と、を備えてなる撮影機能付き携帯電話機において、
前記撮像ユニットを前記同心軸を中心に回動可能となるように前記アンテナ筐体に配設したことを特徴とする撮影機能付き携帯電話機。
【発明の詳細な説明】
【０００１】
【発明の属する技術分野】
本発明は、携帯電話機に関し、特に、撮像素子を備えた撮像ユニットを備え、撮像素子から画像を入力可能な撮影機能付き携帯電話機に関するものである。
【０００２】
【従来の技術】
従来より、携帯電話機にカメラとして作用するレンズ等の撮像素子を配設し、携帯電話機に画像データとして取り込み可能なものがある。
例えば、特許文献１に示すように、固定式の撮像素子を配設した携帯電話機は、撮像素子を携帯電話機の液晶表示面や液晶表示面の反対面に配設するなど、面積が大きい面に配設することが多い。
一方、例えば、特許文献２に示すように、撮像素子を含む撮像ユニットを回転可能に配設した携帯電話機は、所定の回転軸を中心に回動させている。
【０００３】
〔特許文献１〕
特開２０００−３３２８６７号公報
〔特許文献２〕
特開２００１−１０２８２５号公報
【０００４】
【発明が解決しようとする課題】
ところが、従来の撮像ユニットが回転可能な携帯電話機は、撮像ユニットを回転させるための回転軸を別に形成する必要があり、部品点数が増えてしまうという問題があった。
【０００５】
【課題を解決するための手段】
本発明は、上記問題に鑑みてなされたものであり、撮像素子を備えた撮像ユニットと、アンテナを収縮時に収納可能となり該アンテナと同心軸で略円柱状に突出してなるアンテナ筐体と、を備えてなる撮影機能付き携帯電話機において、前記撮像ユニットを前記同心軸を中心に回動可能となるように前記アンテナ筐体に配設した撮影機能付き携帯電話機としたものである。
【０００６】
【発明の実施の形態】
以下、本発明の実施例について図面を用いて説明する。
図１は、本発明の撮影機能付きで折りたたみ式の携帯電話機で、開いた状態を示す斜視図であり、従来と同様に、キー部１、液晶表示部２、マイク３、スピーカ４、アンテナ筐体５、およびアンテナ６を配設してなる。
【０００７】
キー部１は、携帯電話機のＯＮ／ＯＦＦ、電話番号の指定、あるいは撮影機能を含む機能指定を行う操作部である。液晶表示部２は、電話番号、キー部１による指定情報、あるいは撮影した画像や受信したデータ・画像を表示する部分である。マイク３およびスピーカ４は、他者と通話する際の音声出入力用に用いる。
【０００８】
アンテナ６は、先端であるアンテナトップが大きく、下方のアンテナシャフトがアンテナ筐体５から伸縮可能に構成し、使用時に伸長する。アンテナ筐体５は、アンテナ６（アンテナトップ）を収縮時に収納可能となり、アンテナ６と同心軸で略円柱状に突出してなる筐体である。
【０００９】
本発明は、アンテナ筐体５にレンズ７ａを備えた撮像ユニット７を配設し、アンテナ６の同心軸を中心に３６０°回動可能とすることを特徴とする。このようにアンテナ筐体５を回動中心部材として用いることにより、部品点数が削減でき、しかも撮像素子と液晶表示部２との距離を近づけることができ、撮像ユニット７追加による長手（上下）方向を長くする必要がなく、容易に３６０°回動できるような構成とすることができる。なお、本発明の撮像ユニット７としては、レンズやＣＣＤ等の画像を取り込むのに必要最低限の構成とし、他の画像処理を行うのに必要となる構成は携帯電話機本体のいずれかに搭載するようにすればよい。
【００１０】
図２は、アンテナ筐体５近傍の拡大断面図であり、アンテナ６はアンテナトップ６ａの下方のアンテナシャフト６ｂがアンテナ筐体５内部で移動可能な状態で保持されている。アンテナ筐体５は、内側に回動モジュール５ａを形成し、撮像ユニット７を上方からスプリング５ｂおよび与圧部５ｃで押圧することにより、同心軸を中心に回動可能でありながら保持されるようになる。７ｂは、撮像ユニット７に接続され、取り込んだ画像を画像データとして本体に送信する撮像ユニット用ＦＰＣ、５ｄは、回動モジュール５ａを保持する固定金具である。本実施例のように撮像ユニットを押圧することにより、撮像ユニット７が撮影中に不本意に回動してしまうことを防止できるようになる。
【００１１】
図３は、本発明の他の実施例を示す斜視図であり、撮像ユニット７’として、レンズ７ａの近傍にストロボ発光部７ｃも備えた構成としたものである。本実施例では、ストロボ発光部７ｃを備えた場合について説明したが、その他の撮像ユニット７として測光窓、撮影スタンバイＯＫ状態を通知するためのＬＥＤを配置したり、またはオートフォーカス用測距モジュールや撮影モードを変更するためのボタンを形成するようにしてもよい。
【００１２】
図４は、さらに本発明の他の実施例を示す斜視図であり、アンテナ筐体５にアンテナ筐体５の同心軸を中心に回動可能な１次回動部７ｄ、１次回動部７ｄに回転軸を形成し、その回転軸を中心に回動可能な２次回動部７ｅを形成し、２次回動部７ｅにレンズ７ａやストロボ７ｃを形成した構成としたものである。このような構成により、図４（ａ）の状態から図４（ｂ）の状態にすることができ、カメラ７ａを種々の方向で撮影することが可能となる。
【００１３】
図５は、図４のアンテナ筐体５近傍の拡大断面図であり、撮像ユニット７’’をアンテナ筐体５回りに回転する場合、スプリング５ｂによって荷重がかけられた状態で１次回動部７ｄがアンテナ筐体５に取り付けられていて、１次回動部７ｄまたは２次回動部７ｅを持って動かすことによりアンテナ６の伸縮方向を軸にして回転が可能となり、２次回動部７ｅをアンテナ６の伸縮方向と直交する方向を軸にして回転する場合、スプリング７ｆによって１次回動部７ｄに荷重がかけられた状態で２次回動部７ｅが１次回動部７ｄに取り付けられていて、２次回動部７ｅを持って動かすことにより回転が可能となる。なお、図５の７ｇは撮像ユニット用ＦＰＣ７ｂと接続されるケーブル、７ｈは１次回動部７ｄの与圧部、７ｉは滑りワッシャ、７ｊはケーブル／ＦＰＣ変換部である。
【００１４】
【発明の効果】
以上説明したように、本発明の撮影機能付き携帯電話機によれば、撮像ユニットをアンテナ筐体で回動可能となるように配設したことにより、部品点数を増やさずに、撮像ユニットを回動可能とする撮影機能付き携帯電話機を提供することができる。
【図面の簡単な説明】
【図１】本発明の撮影機能付き携帯電話機を示す斜視図である。
【図２】図１のアンテナ筐体近傍を示す断面図である。
【図３】本発明の撮影機能付き携帯電話機の他の実施例を示す斜視図である。
【図４】本発明の撮影機能付き携帯電話機の他の実施例を示す斜視図である。
【図５】図４のアンテナ筐体近傍を示す断面図である。
【符号の説明】
１：キー部
２：液晶表示部
３：マイク
４：スピーカ
５：アンテナ筐体
６：アンテナ
７，７’，７’’：撮像ユニット
【図１】
2004254129.tif 000003
【図２】
2004254129.tif 000004
【図３】
2004254129.tif 000005
【図４】
2004254129.tif 000006
【図５】
2004254129.tif 000007